(57)【要約】      （修正有）【課題】パッド上への吸着バンドの形成を容易にするヘルメット装着用ホルダーを提供する。【解決手段】ヘルメットに着脱可能に固定される着脱手段10と、着脱手段に一端が連結される連結部20の他端に連結され、取り付け対象体を取り付けるクレードル30と、を含んで構成されるヘルメット装着用ホルダー100において、着脱手段は、内側空間を有する半球状であって、上部面から内側空間に垂直に形成された軸孔１１bを備えるベース11と、ベースの下部に配置される円板状のパッド13と、軸孔に昇・下降可能に嵌められ、下端がパッドの中央に固定・結合されるシャフト15と、シャフトに嵌められ、弾性力を維持するスプリング17と、シャフトの上端に回動可能に結合され、シャフトを昇・下降させる昇降レバー10aと、パッドの中央部分を除いた残りの部分に円状帯の形態で付着する吸着バンド21とを含んでヘルメット装着用ホルダーを構成する。【選択図】図２
2014227644.tif 000002
【特許請求の範囲】
【請求項１】
ヘルメットに着脱可能に固定される着脱手段と、前記着脱手段に一端が連結される連結部の他端に連結され、取り付け対象体を取り付けるクレードルと、を含んで構成されるヘルメット装着用ホルダーにおいて、
前記着脱手段は、
内側空間を有する半球状であって、上部面から前記内側空間に垂直に形成された軸孔を備えるベースと、前記ベースの下部に配置される円板状のパッドと、前記軸孔に昇・下降可能に嵌められ、下端が前記パッドの中央に固定・結合されるシャフトと、前記シャフトに嵌められ、前記パッドと前記ベースとの間で弾性力を維持するスプリングと、前記シャフトの上端に回動可能に結合され、前記シャフトを昇・下降させる昇降レバーと、前記パッドの下部面に付着し、前記パッドの中央部分を除いた残りの部分に円状帯の形態で付着する吸着バンドと、を含んで構成されることを特徴とするヘルメット装着用ホルダー。
【請求項２】
前記吸着バンドは、前記パッドの中心とパッドの円周との間の地点を半径とする内側円の円周と前記パッドの円周との間に付着・形成され、前記内側円の円周から前記パッドの円周に行くほど下方向に傾斜するように形成されることを特徴とする、請求項１に記載のヘルメット装着用ホルダー。
【請求項３】
前記吸着バンドの表面は、前記内側円の円周から前記パッドの円周に行くほど曲面状を有することを特徴とする、請求項２に記載のヘルメット装着用ホルダー。
【請求項４】
前記パッドの円周と前記内側円の円周上には、円周に沿って上方向に突出した突出リングが形成されることを特徴とする、請求項２または３に記載のヘルメット装着用ホルダー。
【発明の詳細な説明】
【技術分野】
【０００１】
本発明は、ヘルメット装着用ホルダーに関し、特に、パッドの中央部分を除いた残りの部分のみに粘着性軟質物質を直接塗布して形成されたり、成形された粘着性軟質製品を付着して形成される吸着バンドを形成することによって、前記パッドの中央部分で真空状態を発生させることができ、前記吸着バンドの吸着表面を曲面状に形成することによって、ラウンド状のヘルメットにも強く付着させることができ、前記吸着バンドが付着・形成される前記パッドの円周と内側円の円周上に突出リングを形成することによって、前記パッド上への前記吸着バンドの形成を容易にするヘルメット装着用ホルダーに関する。
【背景技術】
【０００２】
現在、車両には、ナビゲーター、小型コンピューター、カップ置き台、携帯電話ホルダー、及び便宜品を装着するための多様なホルダーが使用されている。これらホルダーは、車両の外観を損傷させないと共に、車両に物品を結合するために吸盤の原理を用いた吸着板を用いており、吸着板を車両のガラスや本体に強く付着させるために、作動レバーを用いて吸着板の中心部を引っ張る方式を用いる。
【０００３】
通常の吸着板は、作動レバーを用いて吸着板の中心部を引っ張らないときは車両に付着させることができなく、作動レバーを引っ張らないと、ナビゲーター、ＬＣＤ、及びその他便宜品を車両に付けることができない。これは、吸着板が透明なゴム又はプラスチックで形成され、作動レバーによって発生する圧着力のみによってガラスや車体の本体に付着するように製造されることに起因する。
【０００４】
ところが、前記通常の吸着板は、平らな面を有する車両のガラスや本体に付着するように構成されているので、通常の吸着板を有するホルダーをラウンディングしている表面に付着させて使用することは難しい。すなわち、現在、通常の吸着板を有するホルダーは、ヘルメットのように表面がラウンディングした形状を有する対象体に付着させて使用することが不可能な状況である。
【０００５】
一方、近頃では週５日勤務が一般化されながら、人々は野外活動及び余暇生活に多くの時間を投資している。例えば、余暇生活では、パラグライダー及びハンググライダーを楽しむ人々が多くなった。
【０００６】
このように、パラグライダー及びハンググライダーを楽しむ人々は、飛行中に自分の姿を動画で撮影するために、ヘルメットにカメラを装着しようとする。ところが、既存の車両用ホルダーにカメラを装着した後、このホルダーの吸着板をヘルメットに付着させる場合、ヘルメットの表面がラウンディングしているので、ヘルメットにカメラを装着することが非常に難しい。
【０００７】
具体的に、ヘルメットは円状及び楕円状に形成されているので、既存の車両用ホルダーを用いる場合、吸着板をヘルメットに付着させることが難しく、吸着機能の低下によって吸着板が容易に取れてしまうという問題がある。
【０００８】
特に、ハンググライダー又はパラグライダーは時速２００Ｋｍないし２５０Ｋｍ以上の速度で飛行するので、既存のホルダーの吸着力では正常にヘルメットにカメラを取り付けることができないという短所がある。
【発明の概要】
【発明が解決しようとする課題】
【０００９】
本発明は、前記のような従来技術の問題を解決するためになされたもので、パッドの中央部分を除いた残りの部分のみに吸着バンドを付着・形成することによって、前記パッドの中央部分で真空状態を発生させることができ、前記吸着バンドの表面を曲面状に形成することによって、ラウンド状のヘルメットにも強く付着させることができ、前記吸着バンドが付着・形成される前記パッドの円周と内側円の円周上に突出リングを形成することによって、前記パッド上への前記吸着バンドの形成を容易にするヘルメット装着用ホルダーを提供することを目的とする。
【課題を解決するための手段】
【００１０】
前記のような課題を解決するために提案された本発明に係るヘルメット装着用ホルダーをなす構成手段は、ヘルメットに着脱可能に固定される着脱手段と、前記着脱手段に一端が連結される連結部の他端に連結され、取り付け対象体を取り付けるクレードルとを含んで構成されるヘルメット装着用ホルダーにおいて、前記着脱手段は、内側空間を有する半球状であって、上部面から前記内側空間に垂直に形成された軸孔を備えるベースと、前記ベースの下部に配置される円板状のパッドと、前記軸孔に昇・下降可能に嵌められ、下端が前記パッドの中央に固定・結合されるシャフトと、前記シャフトに嵌められ、前記パッドと前記ベースとの間で弾性力を維持するスプリングと、前記シャフトの上端に回動可能に結合され、前記シャフトを昇・下降させる昇降レバーと、前記パッドの下部面に付着し、前記パッドの中央部分を除いた残りの部分に円状帯の形態で付着する吸着バンドとを含んで構成されたことを特徴とする。
【００１１】
ここで、前記吸着バンドは、前記パッドの中心とパッドの円周との間の地点を半径とする内側円の円周と前記パッドの円周との間に付着・形成され、前記内側円の円周から前記パッドの円周に行くほど下方向に傾斜するように形成されることを特徴とする。
【００１２】
ここで、前記吸着バンドの表面は、前記内側円の円周から前記パッドの円周に行くほど曲面状を有することを特徴とする。
【００１３】
ここで、前記パッドの円周と前記内側円の円周上には、円周に沿って上方向に突出した突出リングが形成されることを特徴とする。
【発明の効果】
【００１４】
前記のような課題及び解決手段を有する本発明に係るヘルメット装着用ホルダーによると、パッドの中央部分を除いた残りの部分のみに吸着バンドを付着・形成するので、前記パッドの中央部分で真空状態を発生させることができ、前記吸着バンドの表面を曲面状に形成するので、ラウンド状のヘルメットにも強く付着させることができ、前記吸着バンドが付着・形成される前記パッドの円周と内側円の円周上に突出リングを形成するので、前記パッド上への前記吸着バンドの形成を容易にすることができる。
【図面の簡単な説明】
【００１５】
【図１】本発明の実施例に係るヘルメット装着用ホルダーの斜視図である。
【図２】本発明の実施例に係るヘルメット装着用ホルダーを構成する着脱手段の分離斜視図である。
【図３】本発明の実施例に係るヘルメット装着用ホルダーを構成するパッドと吸着バンドの詳細構成図である。
【図４】本発明の実施例に係るヘルメット装着用ホルダーの動作状態図である。
【図５】本発明の実施例に係るヘルメット装着用ホルダーを構成する吸着バンドの他の形状を示す斜視図である。
【発明を実施するための形態】
【００１６】
以下、添付の図面を参照して、前記のような課題、解決手段及び効果を有する本発明に係るヘルメット装着用ホルダーに関する望ましい実施例を詳細に説明する。
【００１７】
この過程で図面に示した構成要素の大きさや形状などは、説明の明瞭性と便宜のために誇張して図示する場合がある。また、本発明の構成及び作用を考慮して、特別に定義された各用語は、使用者、運用者の意図又は慣例によって変わり得る。
【００１８】
図１は、本発明の実施例に係るヘルメット装着用ホルダーの斜視図である。
【００１９】
図１に示したように、本発明の実施例に係るヘルメット装着用ホルダー１００は、ヘルメットに着脱可能に固定される着脱手段１０と、前記着脱手段１０に一端が連結される連結部２０の他端に連結され、取り付け対象体を取り付けるクレードル３０とを含んで構成される。
【００２０】
前記着脱手段１０は、吸着力及び真空状態の発生によってヘルメットに付着したり、吸着力の解除及び真空状態の解除によってヘルメットから取り外せるように構成される。これについては後で詳細に説明する。
【００２１】
前記着脱手段１０と取り付け対象体を取り付けるクレードル３０は、前記連結部２０によって連結される。前記連結部２０は、一端が前記着脱手段１０に連結され、他端が前記クレードル３０に連結される構造であれば多様な形態に構成することができる。すなわち、前記連結部２０は、一つのフレームで構成することもでき、複数のフレームを互いに連結して構成することもできる。前記複数のフレームは、互いに回転したり折り畳むこともできる。
【００２２】
前記クレードル３０は、多様な機能を行う各装置を挟んで取り付けるように構成される。例えば、前記クレードル３０は、スマートフォン、ＰＤＡ、ナビゲーションなどのみならず、カメラなどの映像撮影装置を取り付けるように構成される。したがって、前記クレードル３０の形状は、取り付けられる装置の形態に応じて多様に構成することができる。
【００２３】
前記クレードル３０は、前記連結部２０の他端に固定することもできるが、前記クレードル３０に取り付けられる装置の方向を多様に変更できるように、前記連結部２０に回動又は回転可能に連結されることが望ましい。
【００２４】
例えば、前記クレードル３０に取り付けられる装置はカメラになり得る。また、前記カメラは、前記連結部２０に回転又は回動可能に結合されるので、前方、側方又は後方を撮影できるように方向を設定することができる。
【００２５】
すなわち、ヘルメットに前記ホルダー１００を付着させた後、パラグライダーを飛行する場合、飛行者は、自分のヘルメットに取り付けられたカメラの位置を調整することによって前方を撮影したり、後方、すなわち、自分の顔を撮影することができる。
【００２６】
このとき、前記ホルダー１００は、前記ヘルメットに強く付着する必要性がある。このための本発明に係るヘルメット装着用ホルダー１００の着脱手段１０は、ヘルメットに強く付着可能な構造となっている。
【００２７】
図２は、本発明の実施例に係るヘルメット装着用ホルダー１００を構成する着脱手段１０の具体的な斜視図である。
【００２８】
図２に示したように、本発明の実施例に係るヘルメット装着用ホルダーの着脱手段１０は、半球状のベース１１と、前記ベース１０の下部に配置されるパッド１３と、前記パッド１３の中央に固定・結合されるシャフト１５と、前記シャフト１５に嵌められた状態で弾性力を維持するスプリング１７と、前記シャフト１５の上端に回動可能に結合される昇降レバー１９と、前記パッド１３の下部面に付着する吸着バンド２１とを含んで構成される。
【００２９】
前記ベース１１は、内側空間を有する半球状である。すなわち、前記ベース１１は、硬質プラスチック素材で形成され、半円のキャップ状を有する。前記ベース１１の上部面の一側には、前記連結部２０の一端が連結される。
【００３０】
前記ベース１１の上部面には、中央部分から下端に至るまで陥没して形成される装着溝１１ａが備えられる。前記装着溝１１ａの底面は、水平面１１ａ’と傾斜面１１ａ”からなっており、前記水平面１１ａ’と前記傾斜面１１ａ”は互いに連結されている。
【００３１】
前記ベース１１の上部面に形成される前記装着溝１１ａは、前記昇降レバー１９が装着されて動作し得る空間を提供する。すなわち、前記昇降レバー１９は、前記装着溝１１ａ内で前記シャフト１５の上端と回動可能にヒンジ結合された状態を維持する。
【００３２】
前記ベース１１は、上部面から前記内側空間に垂直に形成された軸孔１１ｂを備える。具体的に、前記軸孔１１ｂは、前記装着溝１１ａの水平面１１ａ’から前記内側空間に垂直に形成されている。前記シャフト１５の上端は、前記軸孔１１ｂを介して前記装着溝１１ａ内に突出し、前記昇降レバー１９と回動可能に結合することができる。これについては後で説明する。
【００３３】
前記ベース１１の下部には円板状のパッド１３が配置される。具体的に、前記円板状のパッド１３は、前記ベース１１の下部に配置され、ヘルメットなどのラウンディングした表面に付着した状態で、前記シャフト１５の上昇に伴って中央部分が持ち上げられる材質で形成される。すなわち、前記パッド１３は、軟質のゴム又はＰＶＣ素材などの丈夫で且つフレキシブルな材質で形成されることが望ましい。
【００３４】
一方、前記ベース１１の下端部は、図４に示したように、平らな面を有するのではなく、ラウンディングした表面を有する。したがって、後で説明するが、前記円板状のパッド１３が上昇するとき、前記パッド１３の外郭部分も微細に上昇し、前記ベース１１の端部、すなわち、ラウンディングした表面に接触できるようにする。
【００３５】
前記パッド１３の上部面の中央部分には、前記シャフト１５が立てられた状態で固定・結合される。すなわち、前記シャフト１５は、下端が前記パッド１３の中央に固定・結合される。そして、前記シャフト１５は、前記ベース１１の内側空間に位置し、その上端が前記軸孔１１ｂを通過して前記装着溝１１ａ内に位置するように配置される。
【００３６】
すなわち、前記シャフト１５は、前記軸孔１１ｂに昇・下降可能に嵌められ、上端は前記装着溝１１ａ内に位置し、下端は、前記パッド１３の中央に固定・結合された状態で配置される。
【００３７】
前記シャフト１５は、後で説明するが、前記昇降レバー１９の動作に伴って昇・下降し得る。すなわち、前記昇降レバー１９を下方向に押すと、前記シャフト１５は上昇し、結果的に、前記シャフト１５の下端に連結された前記パッド１３の中央部分が上昇する。その一方、前記昇降レバー１９を元の位置に復元させると、前記シャフト１５は、スプリングの復元力によって下降し、結果的に、前記パッド１３も元の状態に戻る。
【００３８】
このとき、前記シャフト１５及び前記パッド１３を元の状態に復元させるために、前記ベース１１の内側空間内には前記スプリング１７が配置される。すなわち、前記スプリング１７は、前記シャフト１５に嵌められ、前記パッド１３と前記ベース１１との間で弾性力を維持するように配置される。
【００３９】
具体的に、前記スプリング１７は、前記シャフト１５に嵌められた状態で、下端は前記パッド１３に接触し、上端は前記ベース１１の内側空間の上部面に接触し、一定の弾性力を維持した状態で配置される。
【００４０】
この状態で、前記昇降レバー１９を下げると、前記軸孔１１ｂに沿って前記シャフト１５が上昇し、また、前記パッド１３の中央部分も上昇するようになり、結果的に、前記スプリング１７は圧縮状態になる。その後、前記昇降レバー１９を上げると、前記スプリング１７の復元力により、前記シャフト１５と前記パッド１３の中央部分は再び下降して元の位置に戻る。
【００４１】
前記シャフト１５の昇・下降動作を発生させる前記昇降レバー１９は、前記シャフト１５の上端と回動可能にヒンジ結合される偏心回動結合部１９ａと、前記偏心回動結合部１９ａに連結され、これを回動させる回動操作部１９ｂとを含んで構成される。
【００４２】
前記偏心回動結合部１９ａは、前記シャフト１５の上端に回動可能にヒンジ結合される。具体的に、前記シャフト１５の上端に形成されたヒンジ結合ホール１５ａと、前記偏心回動結合部１９ａに形成されたヒンジ結合ホール（図示せず）にヒンジ結合ピン１９ｃを挿入して連結することによって、前記昇降レバー１９の偏心回動結合部１９ａを前記シャフト１５の上端にヒンジ結合することができる。
【００４３】
前記偏心回動結合部１９ａの回転力は、前記回動操作部１９ｂの操作によって行われる。すなわち、使用者が前記回動操作部１９ｂを下げたり上げると、それに従って前記偏心回動結合部１９ａは回動する。
【００４４】
前記偏心回動結合部１９ａの回動によって、前記偏心回動結合部１９ａにヒンジ結合された前記シャフト１５が上昇又は下降するために、前記偏心回動結合部１９ａには偏心カム部１９ａ’が備えられる。
【００４５】
すなわち、前記偏心回動結合部１９ａは、前記シャフト１５の上端と回動可能にヒンジ結合され、偏心構造を有するために一部が突出した偏心カム部１９ａ’を備えている。
【００４６】
前記偏心回動結合部１９ａの前記偏心カム部１９ａ’は、前記装着溝１１ａの底面のうち、水平面１１ａ’上に接触・支持され得るように配置される。したがって、前記回動操作部１９ｂを押すと、前記偏心回動結合部１９ａは回動するようになり、この過程で前記水平面１１ａ’上に接触・支持される前記偏心カム部１９ａ’によって前記シャフト１５は上昇する。
【００４７】
その結果、前記シャフト１５の下端に固定・結合される前記パッド１３の中央部分が上昇し、前記スプリング１７は圧縮状態になる。その後、前記回動操作部１９ｂを上げて元の位置に復元させると、前記スプリング１７の復元力によって前記シャフト１５が下降し、これと同時に前記パッド１３の中央部分も元の位置に復元される。
【００４８】
前記のような構成及び動作を有する前記昇降レバーの動作によって、前記シャフト１５が上昇し、前記パッド１３の中央部分が上がると、前記パッド１３と付着面（ヘルメットの外部表面など）との間に真空状態が発生する。したがって、前記着脱手段１０は、前記ヘルメットの外部表面などの付着面に強く付着させることができる。
【００４９】
このように、前記パッド１３の中央部分を上げることによって、前記パッド１３と付着面（ヘルメットの外部表面など）との間で真空状態を発生させるためには、前記パッド１３と付着面（ヘルメットの外部表面など）との間に空気が流れ込むことを遮断しなければならない。
【００５０】
このために、前記パッド１３の下部面には、ボンドゲル材質で形成され、付着面に強く吸着させることができ、外部からの空気流入を遮断できる吸着バンド、すなわち、吸着バンド２１を付着させる。前記吸着バンド２１は、粘着性軟質物質を前記パッドの中央部分を除いた残りの部分のみに直接塗布して形成したり、成形された粘着性軟質製品を前記パッドの中央部分を除いた残りの部分のみに付着して形成することができる。具体的に、前記吸着バンド２１は、前記パッド１３の下部面に付着し、前記パッド１３の中央部分を除いた残りの部分に円状帯の形態で付着する。
【００５１】
前記のように前記吸着バンド２１が前記パッド１３の中央部分を除いた外郭に沿って付着しているので、前記着脱手段１０をヘルメットの表面などの付着面に付着すると、前記吸着バンド２１が前記付着面に強く付着し、その後、前記昇降レバー１９を下げると、前記シャフト１３が上昇することによって前記パッド１３の中央部分が上昇し、前記パッド１３の中央部分と前記付着面との間に真空状態が発生する。
【００５２】
すなわち、前記パッド１３の中央部分が上昇する過程で、前記吸着バンド２１によって外部から空気が流れ込まないので、前記パッド１３の中央部分と前記付着面との間に真空状態が発生し、結果的に、前記着脱手段は前記付着面に強く付着させることができる。
【００５３】
図３は、本発明の実施例に係る前記パッド１３と前記吸着バンド２１との結合関係及び詳細な構造を示している。
【００５４】
図３の（ａ）に示したように、前記吸着バンド２１は、前記パッド１３の中心と前記パッド１３の円周との間の地点を半径ａとする内側円の円周と前記パッド１３の円周との間に付着・形成される。
【００５５】
すなわち、前記吸着バンド２１は、前記パッド１３に付着し、半径ａを有する内側円の円周と半径ｂ（パッド１３の半径）を有するパッド１３の円周との間の空間に全て付着する。したがって、前記吸着バンド２１は円状帯の形態である。
【００５６】
ところが、前記吸着バンド２１は、ヘルメットの表面などの付着面に付着する表面が水平面を有するのではなく、屈曲又は傾斜した表面を有する。具体的に、図３の（ａ）に示したように、前記吸着バンド２１は、前記内側円の円周から前記パッド１３の円周に行くほど下方向に傾斜するように形成される。
【００５７】
すなわち、前記吸着バンド２１は、内側円の円周から前記パッド１３の円周に行くほど、厚さが漸次厚くなる表面を有する。具体的に、前記パッド１３の内側円の円周上に付着する前記吸着バンド２１の厚さが最も薄く、前記パッド１３の円周上に付着する前記吸着バンド２１の厚さが最も厚い。
【００５８】
前記のように、前記吸着バンド２１は、前記内側円の円周から前記パッド１３の円周に行くほど下方向に傾斜するように形成されるが、より望ましくは、屈曲した曲面状であることが望ましい。
【００５９】
具体的に、前記吸着バンド２１の表面は、斜線状に傾いた形態を有することもできるが、前記内側円の円周から前記パッド１３の円周に行くほど曲面状を有することが望ましい。
【００６０】
このように、本発明に係る着脱手段１０は、前記吸着バンド２１が前記パッド１３の中央部分を除いた残りの外郭部分に付着し（内側円の円周とパッドの円周との間に付着し）、内側円の円周からパッドの円周方向に行くほど傾斜するように形成され、その表面が斜線状又は曲面状を有するように構成されることによって、ヘルメットのように、その表面がラウンディングした付着面に前記着脱手段１０を付着させる場合、前記吸着バンド２１が前記付着面に強く付着すると同時に、前記パッド１３の中央部分が上昇する過程で、前記パッド１３の中央部分と付着面との間への空気流入を完全に遮断し、真空を強く維持できるようにする。
【００６１】
一方、前記吸着バンド２１は、図３の（ａ）に示したように、前記内側円の円周からパッドの円周方向に行くほど、全体的に緩やかに曲がった曲面状を有するが、場合に応じては、図３の（ｂ）に示したように、多段構造の表面を有することもできる。
【００６２】
すなわち、図３の（ｂ）に示したように、前記吸着バンド２１は、前記内側円の円周からパッドの円周方向に行くほど、その表面がラウンディングした形状を有し、複数の段差構造を通して形成される多段構造の表面を有することもできる。このような構造も、前記吸着バンド２１の表面が全体的にラウンディングした形状を有する。
【００６３】
一方、上述したように、前記吸着バンド２１は、前記パッド１３の内側円の円周とパッドの円周との間の空間に付着・形成される。前記吸着バンド２１は、ジグの枠に溶融ゲルを収容させ、前記パッド１３を前記溶融ゲルに接触した状態を維持することによって、前記パッド１３上に前記吸着バンド２１を付着・形成させる。
【００６４】
このように、前記パッド１３上に前記吸着バンド２１を付着・形成させる過程で、前記パッド１３の内側円の円周と前記パッドの円周との間の空間のみに前記吸着バンド２１を容易に付着させるために、前記パッド１３上に突出リング１３ａを形成することが望ましい。
【００６５】
具体的に、図３に示したように、前記パッド１３の円周と前記パッドの内側円の円周上には、円周に沿って上方向に突出した突出リング１３ａが形成される。すなわち、前記内側円の円周と前記パッドの円周のそれぞれに前記突出リング１３ａが形成されることが望ましい。
【００６６】
一方、前記パッド１３上に形成される前記吸着バンド２１は、図３に示した形状以外の形状にも形成することができる。例えば、図５に示したように、前記吸着バンド２１は、前記パッド１３の外郭に沿って付着するゲルなどの粘着性軟質製品で形成することもできる。
【００６７】
具体的に、前記吸着バンド２１は、ドーナツ状の円状リングを水平な方向に切り取った形状を有することができる。したがって、前記吸着バンド２１の垂直断面は半円状を有し、前記パッド１３に付着した前記吸着バンド２１の表面はラウンド状を有することができる。
【００６８】
したがって、ドーナツ状を半分にスライスした形状を有する前記吸着バンド２１を前記パッド１３の外郭に沿ってリング形態で付着し、前記着脱手段１０を構成することもできる。このような前記着脱手段１０をヘルメットのラウンディングした表面に付着すると、前記ヘルメットのラウンディングした表面に付着する前記吸着バンド２１の接触表面もラウンド状を有するので、前記吸着バンド２１を前記ヘルメットの表面に強く付着させることができ、その後、昇降レバー１９を下げると、前記シャフト１５の上昇に伴い、前記パッド１３と前記ヘルメットの付着面との間で強い真空状態を維持できるようになる。
【００６９】
以上で説明した構造及び動作を有する着脱手段１０を含む前記ヘルメット装着用ホルダー１００は、ヘルメットのようにその表面がラウンディングしている付着面に容易に付着できるという長所を有する。
【００７０】
図４は、本発明に係る着脱手段１０の動作を説明するための断面図である。図４の（ａ）は、前記着脱手段１０をヘルメットの外部表面などの付着面に完全に付着する前の状態を示し、図４の（ｂ）は、前記着脱手段１０をヘルメットの外部表面などの付着面に完全に付着した状態を示している。
【００７１】
図４の（ａ）に示した状態は、前記着脱手段１０を付着面に力を加えて１次的に付着した状態である。このとき、前記パッド１３の中央部分を除いた部分に付着した前記吸着バンド２１は、前記付着面に強く付着した状態を維持する。
【００７２】
この状態で、図４の（ｂ）に示したように、前記昇降レバー１９を下げると、前記シャフト１５が上昇し、このシャフト１５の下端に固定・結合された前記パッド１３の中央部分が上昇する。また、前記パッド１３の外郭部分も多少上昇し、前記ベース１１の端部の表面、すなわち、ラウンディングした表面に接触した状態になる。
【００７３】
このように、前記パッド１３の中央部分が上昇する過程で、前記吸着バンド２１を前記付着面に強く付着させた状態を維持できるので、前記吸着バンド２１を通して外部空気が前記パッド１３の中央部分と前記付着面との間に流れ込むことができない。したがって、前記パッド１３の中央部分と前記付着面との間で強い真空状態を維持することができる。
【００７４】
このように、前記付着面に前記吸着バンド２１が強く結合され、前記付着面と前記パッド１３の中央部分との間に強い真空状態が維持され得るので、前記着脱手段１０は、前記ヘルメットの表面などのラウンディングした表面に強く付着した状態を維持することができる。
【００７５】
以上では、本発明に係る各実施例を説明したが、これは例示的なものに過ぎなく、当該分野で通常の知識を有する者であれば、これから多様な変形及び均等な範囲の実施例が可能であることを理解するだろう。したがって、本発明の真の技術的保護範囲は、次の特許請求の範囲によって定めなければならないだろう。
【符号の説明】
【００７６】
１０：着脱手段、１１：ベース、１１ａ：装着溝、１１ａ’：水平面、１１ａ”：傾斜面、１１ｂ：軸孔、１３：パッド、１３ａ：突出リング、１５：シャフト、１５ａ：ヒンジ結合ホール、１７：スプリング、１９：昇降レバー、１９ａ：偏心回動結合部、１９ａ’：偏心カム部、１９ｂ：回動操作部、１９ｃ：ヒンジ結合ピン、２０：連結部、２１：吸着バンド、３０：クレードル、１００：ヘルメット装着用ホルダー
【図１】
2014227644.tif 000003
【図２】
2014227644.tif 000004
【図３】
2014227644.tif 000005
【図４】
2014227644.tif 000006
【図５】
2014227644.tif 000007